(57)【特許請求の範囲】
【請求項１】
録画あるいは記録及び／又は再生装置のフロントパネルに大カセット及び小カセットが共通して挿入可能のカセット挿入口を有し、このカセット挿入口の前面に当該カセット挿入口を開閉する前面回動扉を備えたカセット装填装置であって、上記前面回動扉は開放時、その裏面が上記カセット挿入口の下部開口縁の高さに水平状態になるように回動保持され、この前面回動扉の裏面が上記カセット挿入口へのカセット挿入用ガイド面部を兼ねると共に、上記カセット挿入用ガイド面部に上記大カセット位置決め用のガイド手段と、上記小カセット位置決め用のガイド手段とを設けたカセット装填装置において、
上記小カセット位置決め用のガイド手段は、上記カセット挿入用ガイド面部の中央部に上記小カセットの幅方向の両側部が位置決めされるガイド凹部であって、当該ガイド凹部には上記カセット挿入口側の端部の高さが当該カセット挿入口の下部開口縁の高さとなるような傾斜面が設けられていることを特徴とするカセット装填装置。
【請求項２】
上記大カセット位置決め用のガイド手段は、上記カセット挿入用ガイド面部に上記大カセットの両側部をガイドする左右一対のガイドリブであることを特徴とする請求項１記載のカセット装填装置。
【発明の詳細な説明】
【０００１】
【産業上の利用分野】
本発明は、例えばビデオ装置等のカセット挿入部に使用されて好適なカセット装填装置に関するものである。
【０００２】
【従来の技術】
従来のこの種、ビデオ装置（ビデオデッキ）のカセット挿入部の構造を図５に示す。
図５において、符号１はビデオ装置本体部を示し、２はビデオ装置本体部１のフロントパネルである。３はこのフロントパネル２に設けられたカセット挿入口であり、カセット挿入口３は外方側に拡径するテーパガイド４が形成されている。カセット挿入口３の裏面側にはカセット挿入扉５が上部に設けたヒンジ６を回動支点として開閉可能に設けられている。７はテープカセット８をローディング位置に搬送するカセコンである。
【０００３】
また、上述したカセット挿入部の構造とは別に例として図６に示すようにカセット挿入口３の前面をヒンジ９を回動支点として回動する飾り扉１０により開閉可能にするようにしたものもある。この飾り扉１０はフロットパネルのデザインあるいはビデオ装置の動作に伴うメカ的ノイズを外部に漏れるのを遮断するために使用されている。
【０００４】
このように構成したカセット挿入部は、図５の場合はカセット８をカセット挿入口３に挿入し、図６の場合は飾り扉１０を開放してからカセット８をカセット挿入口３に挿入することで、カセット８がカセット挿入扉５を押し開きビデオ装置本体部１内のカセコン７に挿着され、その後、カセコン７と共にカセット８がローディング位置に装填される。
【０００５】
一方、従来のビデオ装置において１つのカセット挿入口から大小２種類のカセットを挿入できるいわゆるコンパチブル方式のビデオ装置がある。
【０００６】
このビデオ装置は、カセット挿入口から大小のカセットをそれぞれ決められた位置から正しく挿入させることが必要である。
【０００７】
その一例の構成として図７に示すようにカセット挿入口３に連通するビデオ装置本体部１内のカセコン７の入口側に左右一対の可動ガイド７ａ，７ａを設けている。
【０００８】
例えば、カセット挿入口３から小カセット８ａが挿入される場合は、小カセット８ａの左右両側部を可動ガイド７ａ，１７ａ間に位置させることで、可動ガイド７ａ，７ａが小カセット８ａのガイドとなってカセコン７内に挿入させることができる。
【０００９】
また、カセット挿入口３から大カセット８が挿入される場合は、カセット挿入口３のほぼ幅一杯いっぱいに大カセット８が挿入されることになるため、このときは、可動ガイド７ａ，７ａが回動，転倒してカセコン７内への大カセット８の挿入が可能となる。
【００１０】
さらに、別の機構としては、図示しないがカセコン７の中央部にガイドリブが設けられ、これに対して大小カセット８，８ａの底部中央部に凹溝を設けることで、大小カセット８，８ａをその凹溝をガイドリブに係合しながら挿入することによって、大小のカセットをそれぞれの位置に挿入させることができる。この場合はカセットの底部に凹溝が形成されていることが必要であり、凹溝のない一般的なカセットは使用不可能である。
【００１１】
【発明が解決しようとする課題】
ところで、図５及び図６のビデオ装置の場合は、カセット挿入口３に対してカセットを水平に保持し上下左右の位置をユーザーが予め狙いをつけて位置決めした状態で挿入する必要があるため挿入しずらいといった問題があった。例えばカセットが斜めにカセット挿入口に挿入されると、挿入不良によるトラブルの原因となる。
【００１２】
また、図７に示したビデオ装置の場合は、大小カセットの位置決めのための可動ガイド７ａ，７ａはカセット挿入口３内のカセコン７に存在しているため、カセット挿入口３から可動ガイド７ａ，７ａに狙いをつけながら挿入する必要があった。このため、上述の場合と同様に挿入しずらいといった問題があった。
【００１３】
本発明は、上述したような課題を解消するためになされたもので、カセット挿入口へのカセットの挿入を容易かつ確実に行えることのでき、また、大小カセットが挿入可能なビデオ装置においても大小カセットを決められた位置に容易に挿入することのできるカセット装填装置を得ることを目的とする。
【００１４】
【課題を解決するための手段】
上述の目的を達成するため、本発明によるカセット装填装置は、録画あるいは記録及び／又は再生装置のフロントパネルに大カセット及び小カセットが共通して挿入可能のカセット挿入口を有し、このカセット挿入口の前面に当該カセット挿入口を開閉する前面回動扉を備えたカセット装填装置であって、前面回動扉は開放時、その裏面がカセット挿入口の下部開口縁の高さに水平状態になるように回動保持され、この前面回動扉の裏面がカセット挿入口へのカセット挿入用ガイド面部を兼ねると共に、カセット挿入用ガイド面部に大カセット位置決め用のガイド手段と、小カセット位置決め用のガイド手段とを設けたカセット装填装置において、小カセット位置決め用のガイド手段は、カセット挿入用ガイド面部の中央部に小カセットの幅方向の両側部が位置決めされるガイド凹部であって、当該ガイド凹部にはカセット挿入口側の端部の高さが当該カセット挿入口の下部開口縁の高さとなるような傾斜面が設けられるようにしたものである。
【００１８】
【作用】
上述のように構成したカセット装填装置は、前面回動扉１１を開放すると、前面回動扉１１がカセット挿入口３の下部開口縁３ａの高さに水平状態に回動保持される。ここで、大カセット８をカセット挿入口３に挿入するときは、大カセット８を前面回動扉１１のガイド面部の大カセット位置決め用きガイド手段１３，１３に位置合わせした状態でカセット挿入口３へ挿入することで、カセコンへの大カセット８の挿入が容易に行える。また、小カセット８ａをカセット挿入口３に挿入するときは、小カセット８ａをカセット挿入用ガイド面部の中央部のガイド凹部に小カセットの幅方向の両側部を位置合わせし、カセット挿入口３へスライドさせることで、小カセットの両側部がガイド凹部をガイドとしてカセット挿入口３へ正確に挿入させることができる。この際、小カセットはその底部先端部がガイド凹部の傾斜面に沿ってスロープ状にせり上がって小カセットの底部先端部がカセット挿入口３の下部開口縁の高さと水平状態となり、小カセットのカセット挿入口への挿入を水平状態のまま正確に行うことができる。
【００２０】
また、第３の発明では、大カセット位置決め用のガイド手段が、カセット挿入用ガイド面部に大カセット８の両側部をガイドする左右一対のガイドリブ１３，１３から構成されているので、このガイドリブ１３，１３の間に大カセット８を位置させ、ガイドリブ１３，１３にそって大カセット８をスライドさせることによって、カセット挿入口３への挿入が容易に行える。
【００２１】
また、第４の発明では、小カセット位置決め用のガイド手段が、カセット挿入用ガイド面部に小カセット８ａが位置決めされるガイド凹部１４から構成されているので、ガイド凹部１４内に小カセット８ａを位置させ、小カセット８ａをスライドさせることによって、カセット挿入口３への挿入が容易に行える。
【００２２】
【実施例】
以下、本発明によるカセット装填装置の２つの実施例をビデオ装置を例にとって図面を参照して説明する。
〔実施例１〕
図１は本例のビデオ装置（ビデオデッキ）の斜視図、図２は要部の断面図であり、前面回動扉以外は図６で説明した従来例の構成部分と同一部分であるので同じ符号を付して重複する説明は省略する。
【００２３】
本発明による前面回動扉（以下、飾り扉という）を符号１１で示す。この飾り扉１１はフロントパネル２にヒンジ１２により回動可能に支承されていることは従来例の場合と同様であるが、飾り扉１１は開放状態にすると扉裏面がカセット挿入口３の下部開口縁３ａの高さに水平状態に保持されるようになっている。さらに詳しく説明すると、飾り扉１１は閉止状態からヒンジ１２を回動支点として水平状態にまで回動させると、ヒンジ１２側の端面１１ａがフロントパネル２面に突き当たり停止する構成となっている。これによって、カセット挿入口３の下部開口縁３ａに対して飾り扉１１の裏面が同一平面上で水平位置に回動停止させることができる。
【００２４】
上述のように第１の実施例の構成では、カセット挿入口３へのカセットの挿入は、飾り扉１１の面上にカセット８を乗せスライドさせることで、カセット８が飾り扉１１をガイドとしての作用をなし、カセット挿入口３への挿入を容易にしかも水平状態のまま正確に行うことができ、この結果、カセコンへのカセットの挿着不良のトラブルもなく使い勝手を向上させることができる。
【００２５】
〔実施例２〕
図３は大小２つのカセットを１つのカセット挿入口から装填できるようにしたいわゆるコンパチブル方式のビデオ装置の斜視図、図４は要部の断面図であり、実施例１の構成部分と同一部分には同じ符号を付して重複する説明は省略する。
【００２６】
この場合、飾り扉１１の裏面つまり、飾り扉１１を開放した状態における上面には、左右一対のガイドリブ１３，１３が奥行き方向に平行に突出形成されている。このガイドリブ１３，１３はその間の飾り扉１１の面上に大カセット８が乗せられたとき、大カセット８の両側面がガイドリブ１３，１３に係合される幅間隔に設けられている。
【００２７】
また、飾り扉１１の面上で上述したガイドリブ１３，１３の中央部にはガイド凹部１４が奥行き方向に形成されている。このガイド凹部１４は小カセット８ａの横幅が丁度一致して係合する幅間隔を有し、ガイド凹部１４の底部はカセット挿入口３の下部開口縁３ａの高さとなるような傾斜面が設けられている。
【００２８】
このように構成したことにより、大カセット８をカセット挿入口３へ挿入するには、飾り扉１１のガイドリブ１３，１３間の面上に大カセット８を乗せ、大カセット８をカセット挿入口３側にスライドさせることで、ガイドリブ１３，１３をガイドとしてカセット挿入口３に傾くこともなく正確に挿入させることができる。従って、カセット挿入口３から挿入された大カセット８は左右の可動ガイド７ａ，７ａを回動，転倒してカセコン７内へ挿入される。
【００２９】
また、小カセット８ａをカセット挿入口３へ挿入するには、飾り扉１１の面上のガイド凹部１４に係合させた状態で乗せ、小カセット８ａをカセット挿入口３側にスライドさせることで、ガイド凹部１４をガイドとしてカセット挿入口３の決められた位置から正確に挿入させることができる。従って、カセット挿入口３から挿入された小カセット８ａは左右の可動ガイド７ａ，７ａの間を通りカセコン７内に挿入させることができる。
【００３０】
このように第２の実施例では、カセット挿入口３への大小カセット８，８ａの挿入は、飾り扉１１の面上に形成したガイドリブ１３，１３及びガイド凹部１４を利用することによりカセット挿入口３への大小カセットの挿入を容易にしかも水平状態のまま正確に行うことができ、この結果、カセコンへのカセットの挿着不良のトラブルもなく使い勝手を向上させることができる。
【００３１】
尚、本発明は、上述しかつ図面に示した実施例に限定されるものでなく、その要旨を逸脱しない範囲内で種々の変形実施が可能である。
【００３２】
例えば、飾り扉１１の水平状態の回動保持構造は実施例の構造に限定するものでなく、その他の開放状態の飾り扉１１が水平状態に回動保持される構造であれば別の構造でもよい。
【００３３】
また、小カセット８ａをガイドするガイド凹部１４は実施例では飾り扉１１の途中から奥行き方向に形成したが、飾り扉１１の先端部から形成することであってもよい。
【００３４】
また、本発明のカセット装填装置は、実施例ではビデオ装置の場合について説明したがその他、記録及び／または再生装置のカセット装填装置にも広く適用可能である。
【００３５】
【発明の効果】
以上説明したように、本発明のカセット装填装置は、前面回動扉の裏面が大カセットと小カセットのカセット挿入用ガイド面部を兼ね備え、カセット挿入用ガイド面部の中央部に小カセットの幅方向の両側部が位置決めされるガイド凹部があり、このガイド凹部にカセット挿入口側の端部の高さが当該カセット挿入口の下部開口縁の高さとなるような傾斜面を設けたことで、小カセットの両側部がガイド凹部をガイドとしてカセット挿入口へ正確な姿勢で挿入させることができ、大小カセットの挿着可能ないわゆるコンパチブル式のビデオ装置に使用して好適である。
【００３６】
また、第２の発明では、前面回動扉は開放時、カセット挿入口の下部開口縁の高さに水平状態になるように回動保持され、この前面回動扉がカセット挿入口へのカセット挿入用ガイド面部を兼ねると共に、カセット挿入用ガイド面部に大カセット位置決め用のガイド手段と、小カセット位置決め用のガイド手段とを設けたことで、カセット挿入口への大小カセットの挿入を容易にしかも水平状態のまま正確に行うことができ、カセコンへのカセットの挿入不良のトラブルもなく使い勝手を向上させることができ、大小カセットが挿着可能ないわゆるコンパチブル式のビデオ装置に使用して好適である。
【００３７】
また、第３の発明では、大カセット位置決め用のガイド手段を、カセット挿入用ガイド面部に大カセットの両側部をガイドする左右一対のガイドリブから構成したことにより、ガイドリブをガイドとして大カセットをカセット挿入口へ正確に挿入することができる。
【００３８】
さらに、第４の発明によるカセット装填装置は、小カセット位置決め用のガイド手段を、カセット挿入用ガイド面部に小カセットが位置決めされるガイド凹部から構成したことにより、ガイド凹部をガイドとして小カセットをカセット挿入口の決められた位置から正確に挿入させることができる。
【図面の簡単な説明】
【図１】第１の実施例によるカセット装填装置の斜視図である。
【図２】同じくカセット装填装置の断面図である。
【図３】第２の実施例によるカセット装填装置の斜視図である。
【図４】同じくカセット装填装置の断面図である。
【図５】従来のカセット装填装置の断面図である。
【図６】従来のカセット装填装置の別の例の断面図である。
【図７】従来のコンパチブル方式のカセット装填装置の正面図である。
【符号の説明】
１  ビデオ装置本体部
２  フロントパネル
３  カセット挿入口
４  テーパガイド
５  カセット挿入扉
７  カセコン
８  カセット、大カセット
８ａ  小カセット
１１  飾り扉
１１ａ  飾り扉の端面
１２  ヒンジ
１３  ガイドリブ
１４  ガイド凹部
【図１】
0003603338.tif 000002
【図２】
0003603338.tif 000003
【図３】
0003603338.tif 000004
【図４】
0003603338.tif 000005
【図５】
0003603338.tif 000006
【図６】
0003603338.tif 000007
【図７】
0003603338.tif 000008